(57)【要約】      （修正有）【課題】衝撃に対するディスクの保護性を向上し得るディスクファイル体形成用シートおよびディスクファイル体の提供。【解決手段】印刷可能な印刷層６と、印刷層６の裏面に形成した接着層７と、接着層７に貼着した剥離層８とを有し、別の相対形状のディスクファイル体１形成用シート２に接着層７の接着力によって接着されるディスクファイル体１形成用シート２であって、剥離層８の一部を、前記別のディスクファイル体１形成用シート３の一部に重ねるようにして接合されるシート接合領域とすべく剥離層８の一部を接着層７から剥離させるための第一切取線２０が形成され、第一切取線２０に対して前記一部を除くシート部分の剥離層８を剥離して接着層７どうしを重ね合わせるように折畳むように接合されるものであり、折畳んで表出している印刷面が、ディスク装着用の装着面４とされる構成。【選択図】図１
2008127079.tif 000002
【特許請求の範囲】
【請求項１】
印刷可能な印刷層と、印刷層の裏面に形成した接着層と、接着層に貼着した剥離層とを有し、別の相対形状のディスクファイル体形成用シートに接着層の接着力によって接着されるディスクファイル体形成用シートであって、
剥離層の一部を、前記別のディスクファイル体形成用シートの一部に重ねるようにして接合されるシート接合領域とすべく剥離層の一部を接着層から剥離させるための第一切取線が形成され、第一切取線に対して前記一部を除くシート部分の剥離層を剥離して接着層どうしを重ね合わせるように折畳むように接合されるものであり、折畳んで表出している印刷面が、ディスク装着用の装着面とされることを特徴とするディスクファイル体形成用シート。
【請求項２】
長方形のシートの一縁辺に沿うように第一切取線が形成されていることを特徴とする請求項１記載のディスクファイル体形成用シート。
【請求項３】
印刷層と剥離層とを分離して印刷層を所定面積の長方形の印刷層部とするための第二切取線が、各縁辺に沿うように形成されており、第一切取線は第二切取線で囲まれる領域に対してシートの一縁辺側に形成されていることを特徴とする請求項２記載のディスクファイル体形成用シート。
【請求項４】
第二切取線で囲まれる領域に対応する剥離層において、該第二切取線の各辺の内側に、剥離層をフレーム状に剥離するための第三切取線が第二切取線に沿うように形成されていることを特徴とする請求項３記載のディスクファイル体形成用シート。
【請求項５】
長方形のシートを、その一縁辺に対応する他縁辺を第一切取線に突合わせるようにして接着層どうしを重ね合わせるように折畳む際に目安となる筋目線が、第三切取線における一縁辺側である一辺と他縁辺側である他辺の中間位置で、剥離層における第三切取線の内側に前記一辺および他辺に平行に形成されていることを特徴とする請求項４記載のディスクファイル体形成用シート。
【請求項６】
印刷可能な印刷層と、印刷層の裏面に形成した接着層と、接着層に貼着した剥離層とを有した一対で同一構成のディスクファイル体形成用シートを見開き対称に用いて構成されたディスクファイル体であって、
一対のディスクファイル体形成用シートのうちの一方のディスクファイル体形成用シートにおける剥離層の一部を他方のディスクファイル体形成用シートに対するシート接合領域とすべく剥離して接着層を露出させ、一方のディスクファイル体形成用シートの一部に重ね合わせることで、露出させた接着層の接着力によって一対のディスクファイル体形成用シートどうしが一体化されており、且つ各ディスクファイル体形成用シートにおいて前記一部を除くシート部分の剥離層を剥離して接着層どうしを重ね合わせるように折畳むように接合されて、折畳んで表出している少なくとも何れかのディスクファイル体形成用シートの印刷面が、ディスク装着用の装着面とされていることを特徴とするディスクファイル体。
【請求項７】
ディスクファイル体形成用シートのサイズが最大でＡ４版サイズの規格であることを特徴とする請求項６記載のディスクファイル体。
【請求項８】
印刷可能な印刷層と、印刷層の裏面に形成した接着層と、接着層に貼着した剥離層とを有した一対のディスクファイル体形成用シートを用いて構成されたディスクファイル体であって、
一対のディスクファイル体形成用シートのうちの一方のディスクファイル体形成用シートにおいてシート接合領域となる一部を残して剥離層を剥離して、剥離して残る印刷層を接着層どうしが接着するよう折畳まれており、
他方のディスクファイル体形成用シートにおいてその接着層の接着力により前記シート接合領域を接着して挟持するよう、その接着層の接着力により折畳まれて、両ディスクファイル体形成用シートどうしが一体化されており、且つ折畳んで表出している少なくとも何れかのディスクファイル体形成用シートの印刷面が、ディスク装着用の装着面とされていることを特徴とするディスクファイル体。
【請求項９】
ディスクファイル体形成用シートのサイズが最大でＡ４版サイズの規格であることを特徴とする請求項８記載のディスクファイル体。
【発明の詳細な説明】
【技術分野】
【０００１】
本発明は、ＤＶＤやＣＤ等のディスクをファイルするためのディスクファイル体を形成するためのシート、およびこのシートによって形成されたディスクファイル体に関する。
【背景技術】
【０００２】
従来、ＣＤ等のファイル体の表面に、個人毎にオリジナルなデザインを自己所有のプリンタで印刷することが可能なシート（ディスクホルダ造形用紙）として、下記特許文献１に示すものが提案されている。
【０００３】
このシートは、印刷可能な基材層と、基材層裏面に形成した接着層と、接着層に貼付した剥離層とで構成されており、切取線により展開外形を、展開外形に対して剥離層にだけ及ぶ分離線のみ又は分離線と切取線とに囲まれる接合部を形成しており、用紙全体から切取線に従って展開外形を分離した後展開外形を折畳み、分離線に従って剥離層を取除いた接合部に現れる接着層の接着力により接合部を対面に貼合せるようにして、ディスクのホルダ部を形成するようにしている。
【特許文献１】特開２００２−３３７９７４号公報
【発明の開示】
【発明が解決しようとする課題】
【０００４】
一般に、自己所有のプリンタで扱うことのできるシートの厚みには限界がある。しかしながら上記従来の特許文献に記載されたシートでは、一枚のシートを折畳んで製作されるため、ホルダ部に装着した外側には、一枚のシートがあるのみであるから、外側から衝撃を受けたときにディスクの保護性が低い。
【０００５】
そこで本発明は、上記課題に鑑み、衝撃に対するディスクの保護性を向上し得るディスクファイル体形成用シート、およびディスクファイル体の提供を目的とする。
【課題を解決するための手段】
【０００６】
本発明は、印刷可能な印刷層と、印刷層の裏面に形成した接着層と、接着層に貼着した剥離層とを有し、別の相対形状のディスクファイル体形成用シートに接着層の接着力によって接着されるディスクファイル体形成用シートであって、剥離層の一部を、前記別のディスクファイル体形成用シートの一部に重ねるようにして接合されるシート接合領域とすべく剥離層の一部を接着層から剥離させるための第一切取線が形成され、第一切取線に対して前記一部を除くシート部分の剥離層を剥離して接着層どうしを重ね合わせるように折畳むように接合されるものであり、折畳んで表出している印刷面が、ディスク装着用の装着面とされることを特徴としている。
【０００７】
上記構成のディスクファイル体形成用シートによれば、ディスクファイル体形成用シートを折畳むようにして形成しているから限られた紙厚のシートであっても、装着面に装着されたディスクを多重構成のシート、すなわちこの場合では多重構成のディスク保護面を有したディスクファイル体で保護するようになるから、ディスクの損傷に対する保護性が向上する。
第一切取線から剥離層を剥離して接着層を露出させ、その接着力を用いて、ディスクファイル体形成用シートのシート接合領域を別のディスクファイル体形成用シートと重ねて接着するという、極めて容易な作業でディスクファイル体を製作することが可能となる。
なお、相対形状とは、同一面積・同一形状、あるいは相似形状の双方を含む概念とする。
【０００８】
本発明のディスクファイル体形成用シートは、長方形のシートの一縁辺に沿うように第一切取線が形成されていることを特徴としている。
この構成において、シート接合領域を形成すべく第一切取線から剥離層を剥離させて、シート接合領域を別の長方形のディスクファイル体形成用シートの縁辺と重ねることで、見開き長方形のディスクファイル体を容易に製作することが可能となる。
【０００９】
本発明のディスクファイル体形成用シートでは、印刷層と剥離層とを分離して印刷層を所定面積の長方形の印刷層部とするための第二切取線が、各縁辺に沿うように形成されており、第一切取線は第二切取線で囲まれる領域に対してシートの一縁辺側に形成されていることを特徴としている。
【００１０】
上記構成によれば、第二切取線の形成位置をファイルしようとするディスクのサイズに応じて決めることで、ファイルしようとするディスクのサイズに応じた大きさのディスクファイル体を形成できる。
【００１１】
本発明のディスクファイル体形成用シートでは、第二切取線で囲まれる領域に対応する剥離層において、該第二切取線の各辺の内側に、剥離層をフレーム状に剥離するための第三切取線が第二切取線に沿うように形成されていることを特徴としている。
【００１２】
上記構成において、第三切取線から剥離層をフレーム状に剥離すれば、これに相対したフレーム状の接着層が露出することになり、このフレーム状に露出した接着層を、印刷層を折畳む際の目安とすることで、印刷層をその縁部どうしが合致するように折畳み易くなる。
【００１３】
本発明の長方形のシートを、その一縁辺に対応する他縁辺を第一切取線に突合わせるようにして接着層どうしを重ね合わせるように折畳む際に目安となる筋目線が、第三切取線における一縁辺側である一辺と他縁辺側である他辺の中間位置で、剥離層における第三切取線の内側に前記一辺および他辺に平行に形成されていることを特徴とする請求項４記載のディスクファイル体形成用シート。
【００１４】
上記構成のディスクファイル体形成用シートによれば、筋目線を目安としてシートの印刷層を折畳み易い。
また、露出した接着層をフレーム状、すなわち中抜き形状として、そのフレームの内側は剥離層が接着されたまま接着層は露出していないから、フレーム状の接着層を重ねるようにシートを折畳むようにした際に、シートの縁辺が合致した状態から誤って位置ずれしてしまうように折畳み始めてしまった場合でも、筋目線を頼りにこれに倣うようにすることで、折畳み作業の際に作業者（ユーザー）が折畳み状態を調整しつつ行うことが可能となる。
【００１５】
本発明は、印刷可能な印刷層と、印刷層の裏面に形成した接着層と、接着層に貼着した剥離層とを有した一対で同一構成のディスクファイル体形成用シートを見開き対称に用いて構成されたディスクファイル体であって、一対のディスクファイル体形成用シートのうちの一方のディスクファイル体形成用シートにおける剥離層の一部を他方のディスクファイル体形成用シートに対するシート接合領域とすべく剥離して接着層を露出させ、一方のディスクファイル体形成用シートの一部に重ね合わせることで、露出させた接着層の接着力によって一対のディスクファイル体形成用シートどうしが一体化されており、且つ各ディスクファイル体形成用シートにおいて前記一部を除くシート部分の剥離層を剥離して接着層どうしを重ね合わせるように折畳むように接合されて、折畳んで表出している少なくとも何れかのディスクファイル体形成用シートの印刷面が、ディスク装着用の装着面とされていることを特徴としている。
【００１６】
上記構成のディスクファイル体は、ディスクファイル体形成用シートを折畳むようにして形成しているから限られた紙厚のシートであっても、装着面に装着されたディスクを多重構成のシート、すなわちこの場合では多重構成のディスク保護面を有したディスクファイル体形成用シートで保護するようになるから、ディスクの損傷に対する保護性が向上する。
【００１７】
本発明のディスクファイル体では、ディスクファイル体形成用シートのサイズが最大でＡ４版サイズの規格であることを特徴としている。
上記構成によれば、印刷層には、個人の自己所有のプリンタでオリジナルなデザインを印刷することが可能であり、したがって本発明のディスクファイル体形成用シートを用いてディスクファイル体を形成することによれば、好みのデザイン等を施したディスクファイル体の所持が可能となる。
特に近年、個人所有（家庭用）のインクジエットプリンタは、市場製品のほとんどが最大でＡ４版サイズを印刷可能な機種であることを考慮すると、ディスクファイル体形成用シートのサイズを最大でＡ４版サイズとすることが好ましい。
【００１８】
本発明は、印刷可能な印刷層と、印刷層の裏面に形成した接着層と、接着層に貼着した剥離層とを有した一対のディスクファイル体形成用シートを用いて構成されたディスクファイル体であって、一対のディスクファイル体形成用シートのうちの一方のディスクファイル体形成用シートにおいてシート接合領域となる一部を残して剥離層を剥離して、剥離して残る印刷層を接着層どうしが接着するよう折畳まれており、他方のディスクファイル体形成用シートにおいてその接着層の接着力により前記シート接合領域を接着して挟持するよう、その接着層の接着力により折畳まれて、両ディスクファイル体形成用シートどうしが一体化されており、且つ折畳んで表出している少なくとも何れかのディスクファイル体形成用シートの印刷面が、ディスク装着用の装着面とされていることを特徴としている。
【００１９】
上記構成によれば、一方のディスクファイル体形成用シートにおけるシート接合領域が他方のディスクファイル体形成用シートに挟持されて接着されることにより、シート接合領域が挟持されている分だけ、強度が向上する。
また、ディスクファイル体形成用シートがその印刷層を折畳んで多重構造とされているから、限られた紙厚のシートであっても、装着面に装着されたディスクを多重構成のシート、すなわちこの場合では多重構成のディスク保護面を有したディスクファイル体で保護するようになるから、ディスクの損傷に対する保護性が向上する。
さらに、ディスクファイル体形成用シートのサイズが最大でＡ４版サイズの規格であれば、個人の自己所有のプリンタでオリジナルなデザインを印刷することが可能であり、好みのデザイン等を施したディスクファイル体の所持が可能となる。
【発明の効果】
【００２０】
本発明のディスクファイル体形成用シートによれば、ディスク保護面がシートを折畳んだ多重構成となるから、限られた紙厚のシートであっても、ディスクの損傷に対する保護性を向上させることができる。
また、ディスク保護面がシートを折畳んだ多重構成のディスクファイル体形成用シートで形成されたディスクファイル体によれば、ディスクの損傷に対する保護性を向上させることができる。
【００２１】
また、ディスクファイル体形成用シートをＡ４版サイズの規格内に収めるようにすることにより、印刷層には、個人の自己所有レベルでのプリンタでオリジナルなデザインを印刷することが可能であり、したがって好みのデザイン等を施したディスクファイル体の所持が可能となる。
【発明を実施するための最良の形態】
【００２２】
以下、本発明の実施形態に係るディスクファイル体を図面に基づいて説明する。なお、本発明の実施形態に係るディスクファイル体は、それ自体オリジナルなものを製作することができるよう、一般家庭用プリンタでディスクファイル体に印刷でき、ユーザー個人で製作ができるようにしたものである。
図１の下方からの概略構成を示す斜視図に示すように、ディスクファイル体１は、一方のディスクファイル体形成用シート（以下単に「形成用シート」という）２と他方の形成用シート３で構成され、一方の形成用シート２のディスク装着面４に固着されたディスク装着体５を有している。
この実施形態では、二枚の形成用シート２，３のサイズ構成は同一であり、左右使いが対称であるだけであるので、一方の形成用シート２の構成の説明をもって他方の形成用シート２の構成の説明を兼用するものとする。
【００２３】
形成用シート２は表面に印刷が可能なようその表面が加工された紙製の印刷層６と、印刷層６の裏面に形成した接着層７と、接着層７に貼着した剥離層８とから長方形形状に形成されている。そのサイズは、一例としてＡ４版サイズの規格のものが用いられている。
この実施形態では、Ａ４版サイズのシートを示しているが、一般家庭用のプリンタで印刷可能であれば、Ａ４版サイズのシートに限定されるものではない。
【００２４】
図２は形成用シート２を印刷層６の表面側から見た平面図、図３は形成用シート２を剥離層８の表面側から見た平面図であり、図２と図３とは、互いに同一の形成用シート２を上下方向で裏返した状態を示している。
図２に示すように、形成用シート２の印刷層６側には、印刷層６と剥離層８とを分離して印刷層６を所定面積の長方形の印刷層部１０（図２の斜線で示す領域）とするための所定面積切取線（第二切取線に相当する）１１が印刷層６にのみ及ぶように形成されている。
但し、一方の端部側の所定面積切取線１１ａは、後述するように剥離層８にまで及んでいる。
【００２５】
所定面積切取線１１は印刷層６（形成用シート２）の各縁辺、すなわち四つの縁辺１２ａ，１２ｂ，１２ｃ，１２ｄに沿うよう上横切取線部１３、下横切取線部１４、右縦切取線部１５、および左縦切取線部１６から構成されている。これら上横切取線部１３、下横切取線部１４、右縦切取線部１５、および左縦切取線部１６は、それぞれ四つの縁辺１２ａ〜１２ｄから印刷層６の中心（長方形の対角線の交点）側へ位置ずれして長方形形状を形成するよう形成されている。所定面積切取線１１によって囲まれる面積（サイズ）は、用いようとするディスク装着体５の面積（サイズ）に対応するよう設定されるものである。すなわち、所定面積切取線１１は、シートのサイズよりも小さい範囲を特定するものである。
【００２６】
縁辺１２ａ，１２ｂそれぞれから、これらに平行な所定面積切取線１１までは等距離に設定され、縁辺１２ｃ，１２ｄそれぞれからこれらに平行な所定面積切取線１１までは等距離に設定されている。縁辺１２ｃ，１２ｄそれぞれからこれらに平行な所定面積切取線１１までの距離は、縁辺１２ａ，１２ｂそれぞれから、これらに平行な所定面積切取線１１までの距離に比べて短く設定されている。
【００２７】
図３に示すように、剥離層８側にはその一方の端部側に、別の形成用シート３の他方の端部側に重ねるようにして接合されるシート接合領域とすべく剥離層８の一部を接着層７から剥離させるための剥離層８にのみ及ぶ接合用切取線（第一切取線に相当する）２０が形成されている。接合用切取線２０は、縁辺１２ｄから形成用シート２の左右方向中心側に所定距離Ｌ１だけ位置ずれして縁辺１２ｄ（一縁辺）に沿うよう平行に配置されている。接合用切取線２０の上下端２０ａ，２０ｂは、所定面積切取線１１の上下位置に対応してこれに一致する位置に設定されている。
【００２８】
接合用切取線２０と縁辺１２ｄとの間には、印刷層６および剥離層８に及ぶ切込み２１が形成されている。切込み２１は、接合用切取線２０と縁辺１２ｄに平行な縦切込み部２２と、縦切込み部２２の上下端２２ａ，２２ｂから接合用切取線２０に至るよう縦切込み部２２と同一平面内で直交する上下一対の横切込み部２３、２４とから形成されている。すなわち、図３の矢線２５で示す範囲が切込み２１である。また、縦切込み部２２は、前記所定面積切取線１１ａに相当する切込みである。
【００２９】
さらに剥離層８側には、所定面積切取線１１で囲まれる領域に対応する領域において、所定面積切取線１１の各辺の内側に、剥離層８を剥離して接着層７どうしを重ね合わせるように折畳む際に、剥離層８をフレーム状に剥離するために剥離層８にのみ及ぶフレーム切取線（第三切取線に相当する）２６が形成されている。フレーム切取線２６は、所定面積切取線１１の各辺に沿うように、矩形形状を形成するよう形成されている。
【００３０】
さらに剥離層８側には、形成用シート２の左右方向中心側に対して接合用切取線２０の反対側にある左縦切取線部１６と接合用切取線２０との間のちょうど半分の位置に対応する位置に、印刷層６をその接着層７どうしを重ね合わせるように折畳む際に目安となる筋目線２７が、剥離層８にのみ及ぶよう形成されている。この筋目線２７は、フレーム切取線２６と平行に剥離層８に形成されている。また、その上下端２７ａ，２７ｂはそれぞれ上横切取線部１３、下横切取線部１４に対応する位置に一致している。
【００３１】
図４、図５、および図６は、それぞれ図２におけるＡ−Ａ断面矢視図、Ｂ−Ｂ断面矢視図、Ｃ−Ｃ断面矢視図である。図７は図２におけるＤ−Ｄ断面矢視図である。これらの図には、印刷層６、接着層７、剥離層８、接合用切取線２０、所定面積切取線１１、フレーム切取線２６、切込み２１の関係を示している。
【００３２】
図８は図１におけるＥ部を拡大した斜視図である。図８に示すように、ディスクファイル体１は一対の形成用シート２，３の接合体構造を有しており、各形成用シート２、３は二つに折畳まれるとともに、接合部（接合領域）３０，３１どうしを接合することで形成されている。
【００３３】
次に、一対の形成用シート２、３を用いてディスクファイル体１を形成する手順を説明する。図９は、図３に対応する図で、剥離層８を剥がす部分を斜線で示している。フレーム切取線２６から内側のみ剥離層８を接着した状態としてある。
所定面積切取線１１、すなわち上横切取線部１３、下横切取線部１４、右縦切取線部１５および左縦切取線部１６、並びにフレーム切取線２６を用いて剥離層８を印刷層６から剥がすことで、印刷層部１０を剥離層８から分離し抽出（取出）する。このようにして剥離層８を剥離した状態では、接合用切取線２０、縦切込み部２２、および横切込み部２３、２４で囲まれる縦長長方形の剥離層８ａ（ディスクファイル体形成用シートの一部に相当する）は印刷層６に接着層７ｂに接着されたまま残留している。この剥離層８ａは印刷層６に接着層７ｂに接着されたまま残留している部分を前記接合部３０，３１として用いる。
【００３４】
次に、筋目線２７を目安に、フレーム状に露出している接着層７ａが左右方向で接着されるように、印刷層部１０を二つ折りに折畳む。このとき、筋目線２７を目安に折畳むとともに、印刷層部１０の他方の端部側の隅部１０ａ，１０ｂが、接合用切取線２０の上下端２０ａ，２０ｂにそれぞれ左右方向で当接するようにして折畳む。このとき、筋目線２７は、形成用シート２の左右方向中心側に対して接合用切取線２０の反対側にある左縦切取線部１６と接合用切取線２０との間のちょうど半分の位置にあるから、印刷層部１０の他方の端部側の隅部１０ａ，１０ｂと、接合用切取線２０の上下端２０ａ，２０ｂとを合わせ易い。
【００３５】
そして、露出した接着層７ａ，７ｂをフレーム状、すなわち中抜き形状として、そのフレームの内側は剥離層８が接着されたまま接着層７は露出しておらず接着力がないから、フレーム状の接着層７ａを重ねるようにシート（印刷層部１０）を折畳むようにした際に、シートの縁辺（所定面積切取線１１の上下位置に対応する辺）が合致した状態から誤って位置ずれしてしまうように折畳み始めてしまった場合や、折畳みの途中で位置ずれしてしまった場合でも、筋目線２７を頼りにこれに倣うようにすることで、折畳み作業の際に作業者（ユーザー）が折畳み状態を調整しつつ行うことが可能となる。
【００３６】
図１０は、上記作業により形成された一対の形成用シート２の平面図、図１１は図１０におけるＦ−Ｆ線矢視図である。このような作業を他方の形成用シート３についても行う。そして一方の形成用シート２について、残留させている剥離層８ａを接着層７から剥離し、他方の形成用シート３において残留させている剥離層８ａに上下方向で重ね合わせ、接着層７ｂの接着力により、接合部３０，３１を介して形成用シート２，３どうしを接合する。
【００３７】
このようにすることにより、各形成用シート２，３において、接合用切取線２０に相当する部分を中心として二つ折りにされた印刷層部１０，１０が開閉回動自在となる。また、各形成用シート２，３においてその表面には、印刷層６が表出していることになる。
続いて、一方の形成用シート２の合わせ面側をディスク装着面４として、予め所定のサイズに形成されてディスク５０の装着部を有するディスク装着体５を、貼着等により固定する。以上の作業によって、印刷層６が二重構造となったディスクファイル体１が製作される。
【００３８】
この実施形態によれば、形成用シート２のサイズをＡ４規格サイズとして、形成用シート２の状態で印刷層６に自己所有（一般家庭用）のプリンタでオリジナルなデザイン等を印刷しておき、上記のようにしてディスクファイル体１を製作することで、独自のディスクファイル体１とすることができる。
【００３９】
さらに、自己所有のプリンタで印刷可能な印刷シートの紙厚は制限を受けるが、この実施形態のように、印刷層部１０，１０が折畳まれて二重構造となったディスクファイル体１であるので、その分だけ、印刷層部が一枚となる場合に比べて外力や衝撃に対して装着したディスク５０を確実に保護することができる。
【００４０】
また、接合用切取線２０は、縁辺１２ｄから形成用シート２の左右方向中心側に所定距離Ｌ１だけ位置ずれして縁辺１２ｄに沿うよう平行に配置されていることにより、製作されたディスクファイル体１における接合部３０，３１の幅は、所定距離Ｌ１に応じた幅Ｌ２（所定距離Ｌ１と略等しい）となるから、ディスク装着体５の幅（厚み）に対応してディスク装着体５を確実に被うことができるようになる。
さらに、同一構成の形成用シート２，３を準備しておいて、これらを左右対称使いをするだけなので、その分だけ形成用シート２，３の製造コストの上昇を抑え、したがって安価に提供することができる。
なお、図示しないが、印刷層部１０，１０の面積（サイズ）は、特に限定されるものではなく、使用されるディスク装着体５の面積に応じて決定されることが好ましい。
【００４１】
図１２ないし図１４に別の実施形態のディスクファイル体１の構成を示す。ディスクファイル体１は、上記実施形態と同様に、同一構成の形成用シート２，３を接合して製造されるものである。
図１２および図１３は、組立て途中を示す斜視図、図１４は一部拡大平面図である。この実施形態における形成用シート２，３は上記実施形態と同様に、印刷層６と、印刷層６の裏面に形成した接着層７と、接着層７に貼着した剥離層８とから長方形形状に形成されており、両形成用シート２，３は同一の構成を有する。
【００４２】
各形成用シート２，３の一方の端部側に印刷層６および接着層７を貫通して、剥離層８に及ぶ（剥離層８はハーフカットされている）切断線５１が、シートの縁辺１２ｄに沿うよう、縁辺１２ｄからシートの中心側に所定距離Ｌ３だけ位置ずれして形成されており、切断線５１のさらに内側には、切断線５１に平行で切断線５１から所定距離Ｌ４だけ位置ずれして剥離層８にのみ及ぶ剥離線５２が形成されている。
また、剥離線５２から他方の端部側の縁辺１２ｃの間のちょうど中心位置に、筋目線２７が剥離層８から印刷層６まで及ぶよう形成されている。
【００４３】
この実施形態における剥離線５２から他方側の剥離層８は、全て剥離されるようにして使用され、図１２および図１３に示すように、筋目線２７を目安として、剥離線５２に他方の端部側の縁辺１２ｃが隣接するようにシートが折畳まれる。
【００４４】
一方の形成用シート２では、切断線５１を切除するようにして、しかも切断線５１と剥離線５２との間の縦長長方形の剥離層８ｃは剥離される。この縦長長方形の部分が接合部３０として用いられる。他方の形成用シート３では、剥離線５２から他方側の剥離層８は、全て剥離されるのみである。他方の形成用シート３では、剥離層８がの一部が剥離されない縦長長方形の領域が接合部（接合領域）３１として用いられる。
【００４５】
この実施形態では、図１３に示すように、例えば他方の形成用シート３において、筋目線２７を目安として、剥離線５２に他方の端部側の縁辺１２ｃが隣接するようにシートを折畳んで、他方の形成用シート３における接合部３１における剥離線５２に相当する部分と、一方の形成用シート２における縁辺１２ｄに対応するよう重ねて、一方の形成用シート２の接着層７ｃの接着力で仮止めするように両形成用シート２，３を一体化し、その後、一方の形成用シート２において筋目線２７を目安として、剥離線５２に他方の端部側の縁辺１２ｃが隣接するようにシートを折畳むようにする。
そうすると、他方の形成用シート３における切断線５１よりも一方側の領域が一方の形成用シート２に挟持され、しかも一方の形成用シート２の接着層７の接着力により、一方の形成用シート２に対して他方の形成用シート３が強固に結合されることになる。
このようにして両形成用シート２，３を結合した状態で、何れかの形成用シート２，３のディスク装着面４にディスク装着体５を固着することで、ディスクファイル体１を製作する。
【００４６】
この実施形態においては、他方の形成用シート３における切断線５１よりも一方側の領域が一方の形成用シート２に挟持され部分５５があり、しかも一方の形成用シート２の接着層７の接着力により、一方の形成用シート２に対して他方の形成用シート３が強固に結合されているから、特に接合部３０，３１における強度が高くなり、ディスクファイル体１の長寿命化を図ることができる。
ディスク５０の保護性、ディスクファイル体１のオリジナル性、およびコスト面については、図１〜図１１に示した実施形態と同様の作用効果を奏し得る。
【図面の簡単な説明】
【００４７】
【図１】本発明の実施形態を示すディスクファイル体の下方からの概略構成を示す斜視図
【図２】同じく形成用シートを印刷層の表面側から見た平面図
【図３】同じく形成用シートを剥離層の表面側から見た平面図
【図４】同じく図２におけるＡ−Ａ断面矢視図
【図５】同じく図２におけるＢ−Ｂ断面矢視図
【図６】同じく図２におけるＣ−Ｃ断面矢視図
【図７】同じく図２におけるＤ−Ｄ断面矢視図
【図８】同じく図１におけるＥ部を拡大した斜視図
【図９】同じく図３に対応する図で剥離層を剥がす部分を斜線で示した平面図
【図１０】同じく一対の形成用シートの平面図
【図１１】同じく図１０におけるＦ−Ｆ線矢視図
【図１２】別の実施形態を示すディスクファイル体の組立て途中を示す斜視図
【図１３】同じく組立て途中を示す斜視図
【図１４】同じくディスクファイル体の一部拡大平面図である
【符号の説明】
【００４８】
１…ディスクファイル体、２，３…形成用シート、４…ディスク装着面、５…ディスク装着体、６…印刷層、７…接着層、８…剥離層、１０…印刷層部、１１…所定面積切取線、１２ａ〜１２ｄ…縁辺、１３…上横切取線部、１４…下横切取線部、１５…右縦切取線部、１６…左縦切取線部、２０…接合用切取線、２６…フレーム切取線、２７…筋目線、３０，３１…接合部、５０…ディスク、５１…切断線、５２…剥離線
【図１】
2008127079.tif 000003
【図２】
2008127079.tif 000004
【図３】
2008127079.tif 000005
【図４】
2008127079.tif 000006
【図５】
2008127079.tif 000007
【図６】
2008127079.tif 000008
【図７】
2008127079.tif 000009
【図８】
2008127079.tif 000010
【図９】
2008127079.tif 000011
【図１０】
2008127079.tif 000012
【図１１】
2008127079.tif 000013
【図１２】
2008127079.tif 000014
【図１３】
2008127079.tif 000015
【図１４】
2008127079.tif 000016